(57)【要約】【課題】熱交換器の放熱量の増大要求や追加要求に、車両を大型化することなく対処することができる車両下部構造を提供する。【解決手段】熱媒体により熱交換をする熱交換器５の機能を備えているアンダカバー３が車両７の下部に設けられている車両下部構造１である。【選択図】図１
2015174519.tif 000002
【特許請求の範囲】
【請求項１】
熱媒体により熱交換をする熱交換器の機能を備えているアンダカバーが車両の下部に設けられていることを特徴とする車両下部構造。
【請求項２】
請求項１に記載の車両下部構造において、
前記アンダカバーは、前記熱媒体が流れるチューブによって熱交換をするように構成されていることを特徴とする車両下部構造。
【請求項３】
請求項２に記載の車両下部構造において、
前記チューブは、前記車両の前側から後側に向かって熱媒体を流す前・後部位と、前記車両の後側から前側に向かって熱媒体を流す後・前部位とを備えて構成されていることを特徴とする車両下部構造。
【請求項４】
請求項３に記載の車両下部構造において、
前記前・後部位内を流れる熱媒体の温度は、前記後・前部位内を流れる熱媒体の温度よりも高くなっており、
前記前・後部位が前記車両の幅方向中央側に配置されており、
前記後・前部位が前記車両の幅方向外側に配置されていることを特徴とする車両下部構造。
【請求項５】
請求項３または請求項４に記載の車両下部構造において、
前記前・後部位および前記後・前部位は、前記車両の幅方向右側と左側とに設けられていることを特徴とする車両下部構造。
【請求項６】
請求項２〜請求項５のいずれか１項に記載の車両下部構造において、
前記アンダカバーは、アンダカバー本体部を備えて構成されており、前記チューブは、前記アンダカバー本体部の上側で前記アンダカバー本体部に設けられており、
前記チューブの少なくとも一部が前記チューブの下側に位置している前記アンダカバー本体部の一部で覆われていることを特徴とする車両下部構造。
【請求項７】
請求項６に記載の車両下部構造において、
前記アンダカバー本体部には、前記チューブ延在部から下方に突出している突起が設けられていることを特徴とする車両下部構造。
【請求項８】
請求項７に記載の車両下部構造において、
前記アンダカバー本体部には、前記アンダカバー本体部の突起に近接して、前記チューブが露出する開口部が設けられていることを特徴とする車両下部構造。
【請求項９】
請求項８に記載の車両下部構造において、
前記開口部は、前記チューブの直下に設けられていることを特徴とする車両下部構造。
【請求項１０】
請求項２〜請求項５のいずれか１項に記載の車両下部構造において、
前記アンダカバーは、アンダカバー本体部を備えて構成されており、前記チューブは、前記アンダカバー本体部に設けられており、
前記チューブには、下方に突出している突起が設けられていることを特徴とする車両下部構造。
【請求項１１】
請求項１０に記載の車両下部構造において、
前記突起は複数設けられており、これらの各突起は、前記チューブの長手方向にならんで配置されていることを特徴とする車両下部構造。
【請求項１２】
請求項１０に記載の車両下部構造において、
前記突起はリブで構成されており、このリブは前記チューブの長手方向に延設されていることを特徴とする車両下部構造。
【請求項１３】
請求項１１または請求項１２に記載の車両下部構造において、
前記突起は、前記チューブの幅方向にならんで複数列で設けられていることを特徴とする車両下部構造。
【請求項１４】
請求項３〜請求項５のいずれか１項に記載の車両下部構造において、
前記前・後部位および前記後・前部位とは、折り返しチューブで接続されており、
前記折り返しチューブは、前記前・後部位および前記後・前部位とは別体で製造された後、前記前・後部位および前記後・前部位に接続されたものであることを特徴とする車両下部構造。
【請求項１５】
請求項１４に記載の車両下部構造において、
前記アンダカバーは、一体成形されたアンダカバー本体部を備えて構成されており、
前記前・後部位と、前記後・前部位と、前記折り返しチューブとは、前記アンダカバー本体部に設けられていることを特徴とする車両下部構造。
【発明の詳細な説明】
【技術分野】
【０００１】
本発明は、車両下部構造に係り、特にアンダカバーを有するものに関する。
【背景技術】
【０００２】
車両の熱交換器（エンジン冷却用ラジエータ、空調システム用コンデンサ等）は、一般的に車両の前部（フロントエンド）に配設されており、車両の下部にはアンダカバーが設けられている（たとえば、特許文献１参照）。
【先行技術文献】
【特許文献】
【０００３】
【特許文献１】特開２０１２−２０１２６６号公報
【発明の概要】
【発明が解決しようとする課題】
【０００４】
ところで、熱交換器に対する放熱量増大要求や、チャージエアクーラ（ＣＡＣ）、ＥＧＲクーラ等の様々な他の熱交換器の追加要求が望まれることがある。しかし、車両の前部のスペースには制約があり、単純に熱交換器の増大や追加をすることは難しい。
【０００５】
また、特許文献１に記載のものでは、アンダカバーに金属製の放熱板を配設しているが、熱交換器の増大や追加要求に応じることはできない。
【０００６】
本発明は、上記問題点に鑑みてなされたものであり、熱交換器の放熱量の増大要求や追加要求に、車両を大型化することなく対処することができる車両下部構造を提供することを目的とする。
【課題を解決するための手段】
【０００７】
請求項１に記載の発明は、熱媒体により熱交換をする熱交換器の機能を備えているアンダカバーが車両の下部に設けられている車両下部構造である。
【０００８】
請求項２に記載の発明は、請求項１に記載の車両下部構造において、前記アンダカバーは、前記熱媒体が流れるチューブによって熱交換をするように構成されている車両下部構造である。
【０００９】
請求項３に記載の発明は、請求項２に記載の車両下部構造において、前記チューブは、前記車両の前側から後側に向かって熱媒体を流す前・後部位と、前記車両の後側から前側に向かって熱媒体を流す後・前部位とを備えて構成されている車両下部構造である。
【００１０】
請求項４に記載の発明は、請求項３に記載の車両下部構造において、前記前・後部位内を流れる熱媒体の温度は、前記後・前部位内を流れる熱媒体の温度よりも高くなっており、前記前・後部位が前記車両の幅方向中央側に配置されており、前記後・前部位が前記車両の幅方向外側に配置されている車両下部構造である。
【００１１】
請求項５に記載の発明は、請求項３または請求項４に記載の車両下部構造において、前記前・後部位および前記後・前部位は、前記車両の幅方向右側と左側とに設けられている車両下部構造である。
【００１２】
請求項６に記載の発明は、請求項２〜請求項５のいずれか１項に記載の車両下部構造において、前記アンダカバーは、アンダカバー本体部を備えて構成されており、前記チューブは、前記アンダカバー本体部の上側で前記アンダカバー本体部に設けられており、前記チューブの少なくとも一部が前記チューブの下側に位置している前記アンダカバー本体部の一部で覆われている車両下部構造である。
【００１３】
請求項７に記載の発明は、請求項６に記載の車両下部構造において、前記アンダカバー本体部には、前記チューブ延在部から下方に突出している突起が設けられている車両下部構造である。
【００１４】
請求項８に記載の発明は、請求項７に記載の車両下部構造において、アンダカバー本体部には、前記アンダカバー本体部の突起に近接して、前記チューブが露出する開口部が設けられている車両下部構造である。
【００１５】
請求項９に記載の発明は、請求項８に記載の車両下部構造において、前記開口部は、前記チューブの直下に設けられている車両下部構造である。
【００１６】
請求項１０に記載の発明は、請求項２〜請求項５のいずれか１項に記載の車両下部構造において、前記アンダカバーは、アンダカバー本体部を備えて構成されており、前記チューブは、前記アンダカバー本体部に設けられており、前記チューブには、下方に突出している突起が設けられている車両下部構造である。
【００１７】
請求項１１に記載の発明は、請求項１０に記載の車両下部構造において、前記突起は複数設けられており、これらの各突起は、前記チューブの長手方向にならんで配置されている車両下部構造である。
【００１８】
請求項１２に記載の発明は、請求項１０に記載の車両下部構造において、前記突起はリブで構成されおり、このリブは前記チューブの長手方向に延設されている車両下部構造である。
【００１９】
請求項１３に記載の発明は、請求項１１または請求項１２に記載の車両下部構造において、前記突起は、前記チューブの幅方向にならんで複数列で設けられている車両下部構造である。
【００２０】
請求項１４に記載の発明は、請求項３〜請求項５のいずれか１項に記載の車両下部構造において、前記前・後部位および前記後・前部位とは、折り返しチューブで接続されており、前記折り返しチューブは、前記前・後部位および前記後・前部位とは別体で製造された後、前記前・後部位および前記チューブの後・前部位に接続されたものである車両下部構造である。
【００２１】
請求項１５に記載の発明は、請求項１４に記載の車両下部構造において、前記アンダカバーは、一体成形されたアンダカバー本体部を備えて構成されており、前記チューブの前・後部位と、前記チューブの後・前部位と、前記折り返しチューブとは、前記アンダカバー本体部に設けられている車両下部構造である。
【発明の効果】
【００２２】
本発明によれば、熱交換器の放熱量の増大要求や追加要求に、車両を大型化することなく対処することができる車両下部構造を提供することができるという効果を奏する。
【図面の簡単な説明】
【００２３】
【図１】本発明の第１の実施形態に係る車両下部構造が設けられている車両の概略構成を示す底面図である。
【図２】本発明の第１の実施形態に係る車両下部構造を構成するチューブの概略構成を示す斜視図である。
【図３】本発明の第１の実施形態に係る車両下部構造を構成するアンダカバーの概略構成を示す斜視図である。
【図４】本発明の第１の実施形態に係る車両下部構造における熱媒体の温度変化を示す図である。
【図５】熱交換器として機能を有するアンダカバーの概略構成を示す斜視図である。
【図６】本発明の第１の実施形態に係る車両下部構造を構成するアンダカバー本体部の概略構成を示す斜視図である。
【図７】本発明の第１の実施形態に係る車両下部構造を構成するアンダカバーの概略構成を示す断面図である。
【図８】本発明の第１の実施形態に係る車両下部構造が設けられている車両における走行風を示す図である。
【図９】本発明の第１の実施形態に係る車両下部構造で突起を有するアンダカバーの概略構成を示す断面図である。
【図１０】本発明の第２の実施形態に係る車両下部構造を構成するアンダカバーの概略構成を示す断面図である。
【発明を実施するための形態】
【００２４】
［第１の実施形態］
本発明の第１の実施形態に係る車両下部構造１は、図１、図８等で示すように、アンダカバー３を備えて構成されている。アンダカバー３は、たとえば、水等の熱媒体を用いて熱交換をする熱交換器５の機能を備えている。また、アンダカバー３は、自動車等の車両７の走行によって発生する空気抵抗を小さくすること、車両７の下部を跳ね石等の飛来物から保護することの少なくともいずれかのために、車両（車体）７の下部の少なくとも一部の部位を覆うようにして、車両７に一体的に設けられている。
【００２５】
アンダカバー３の下方には路面が存在している。アンダカバー３は、車両７の下側に設けられており、車両７とアンダカバー３との間には、間隙９（図８参照）が形成されている。そして、車両７の走行によって間隙９の前端の開口部から車両７とアンダカバー３との間（間隙９）に入った空気は、間隙９内を流れ、間隙９の後端の開口部から車両７の後側に排出されるようになっている。
【００２６】
アンダカバー３は、たとえば、車両７の前後方向（車両前後方向）では、前輪と後輪との間にわたって設けられており、車両７の幅方向では、車両７の左端から右端にわたって設けられている。
【００２７】
熱媒体を使用した熱交換器５として、エンジン冷却用ラジエータ、空調システム用コンデンサ、チャージエアクーラ（ＣＡＣ）、または、ＥＧＲクーラの他に、サブラジエータ、または、オイルクーラ等を掲げることができる。
【００２８】
アンダカバー３は、図２、図３で示すように、内部を熱媒体が流れる筒状のチューブ（熱交換器構成チューブ）１１によって熱交換器５の機能を発揮するようになっている。
【００２９】
すなわち、アンダカバー３は、たとえば、合成樹脂等の材料で構成された板状のアンダカバー本体部１３と、金属等の熱伝導性の高い材料で構成されアンダカバー本体部１３に一体的に設けられた熱交換器構成チューブ１１とを備えて構成されている。アンダカバー３が車両７に設置されている状態では、板状のアンダカバー本体部１３の厚さ方向が上下方向になっている。
【００３０】
熱交換器構成チューブ１１（熱交換器５）は、すでに理解されるように、車両７に搭載されている熱源（たとえば、エンジン１９）を冷却するものであり、エンジン１９によって温度が上昇した熱媒体が熱交換器構成チューブ１１内を流れる間に冷却され（熱交換器構成チューブ１１によって熱媒体の熱が大気に放熱され）、この冷却された熱媒体がエンジン１９に戻り、エンジン１９を再び冷却するようになっている。すなわち、熱媒体が熱交換器構成チューブ１１内を循環することで、エンジン１９の冷却がなされるようになっている。
【００３１】
熱交換器構成チューブ１１は、図１、図２で示すように、車両７の前側から後側に向かって熱媒体を流す前・後部位１５と、車両７の後側から前側に向かって熱媒体を流す後・前部位１７とを備えて構成されている。
【００３２】
エンジン１９等の熱源は車両７の前部に設けられており、エンジン１９には、熱媒体が流れる流路が設けられている。前・後部位１５は、車両前後方向に直線状に長く延びて熱源の車両後側に設置されており、前・後部位１５の前端は、エンジン１９の近傍に位置している。前・後部位１５の前端とエンジン１９の流路の熱媒体の出口とはチューブ（出口側チューブ）２１で接続されている。
【００３３】
後・前部位１７は、たとえば、前・後部位１５と平行になって車両前後方向に直線状に長く延びてエンジン１９の車両後側に設置されており、後・前部位１７の前端は、エンジン１９の近傍に位置している。後・前部位１７の前端とエンジン１９の流路の熱媒体の入口とはチューブ（入口側チューブ）２３で接続されている。前・後部位１５の後端と後・前部位１７の後端とは、半円弧状のチューブ（折り返しチューブ）２５で接続されている。これにより、熱媒体が循環する循環路が形成されている。
【００３４】
そして、エンジン１９の流路の出口から出てきた高温の熱媒体は、出口側チューブ２１内を流れ、前・後部位１５内を車両後側に向かって流れ、折り返しチューブ２５内を流れ、後・前部位１７内を車両後側に向かって流れ、入口側チューブ２３内を流れ、エンジン１９の流路の入口からエンジン１９の流路内に入るようになっている。
【００３５】
なお、前・後部位１５内では、車両前側から後側に向かうにしたがって、内部を流れる熱媒体の温度が低くなっており、後・前部位１７内では、車両後側から前側に向かうにしたがって、内部を流れる熱媒体の温度が低くなっている。また、後・前部位１７内を流れる熱媒体の温度は、前・後部位１５内を流れる熱媒体の温度よりも低くなっている。
【００３６】
主として前・後部位１５および後・前部位１７が熱交換器構成チューブ１１を構成している（熱交換器５の機能を発揮している）が、これに加えて、出口側チューブ２１、入口側チューブ２３、折り返しチューブ２５の少なくともいずれかが、熱交換器５としての機能を発揮する構成であってもよい。
【００３７】
前・後部位１５、後・前部位１７、出口側チューブ２１、入口側チューブ２３および折り返しチューブ２５のそれぞれは、たとえば、別体で製造された後それぞれが適宜接続されている。
【００３８】
また、図２では、出口側チューブ２１、入口側チューブ２３が枝別れしており、前・後部位１５、後・前部位１７が、車両前後方向に複数本（たとえば３本ずつ）延びているが、出口側チューブ２１、入口側チューブ２３が枝分かれしておらず、前・後部位１５、後・前部位１７が、車両前後方向に１本ずつ延びている構成であってもよい。
【００３９】
熱交換器構成チューブ１１は、アンダカバー３（アンダカバー本体部）１３の厚さ方向に対して直交する方向の水平な車両前後方向に延びている。また、なお、熱交換器構成チューブ１１自体がアンダカバー３の一部を構成している（図３参照）。
【００４０】
熱交換器構成チューブ１１は、アンダカバー３との厚さを小さくするために扁平になっている。すなわち、熱交換器構成チューブ１１の断面（長手方向に対して直交する平面による断面）が扁平になっており、たとえば、長円状になっている。ここで長円とは、１つの平面に所定の直径の円を描きこの円を上記１つの平面の上で所定の距離（たとえば、円の直径よりも大きい距離）だけ直線的に移動したときに、上記円の軌跡で表される形状である。
【００４１】
折り返しチューブ２５、出口側チューブ２１の一部（前・後部位１５側の部位）、入口側チューブ２３の一部（後・前部位１７側の部位）も、熱交換器構成チューブ１１と同様に扁平になっている。なお、熱交換器構成チューブ１１の断面が楕円形等の他の形状になっていてもよい。楕円になっている場合には、楕円の短径が上下方向になる。
【００４２】
図１で示すように、前・後部位１５は、車両７の幅方向中央側に配置されている。後・前部位１７は車両７の幅方向外側に配置されている。車両７の幅方向のほぼ中央部を、車両７に搭載されているエンジン１９の排気管２７が車両前後方向に延びており、前・後部位１５が排気管２７に沿って延びている。
【００４３】
また、前・後部位１５および後・前部位１７は、車両７の幅方向右側と左側とに設けられている。すなわち、車両７の幅方向右側には、前・後部位１５と後・前部位１７とが一対で設けられている。ただし、図２で示すように、前・後部位１５は、分岐していることで複数本になっている。また、後・前部位１７も、分岐していることで複数本になっている。このように分岐していることで、車両７の幅方向右側には、前・後部位１５、後・前部位１７が６本存在しているが、この状態も一対であるものとする。同様にして、車両７の幅方向左側には、前・後部位１５と後・前部位１７とが一対で設けられている。これにより、熱媒体の循環路が２系統（２対）形成されている。
【００４４】
アンダカバー３は、前述したように、板状のアンダカバー本体部１３を備えて構成されており、熱交換器構成チューブ１１（前・後部位１５、後・前部位１７、折り返しチューブ２５）は、アンダカバー本体部１３の上側でアンダカバー本体部１３に一体的に設けられている。
【００４５】
また、熱交換器構成チューブ１１の少なくとも一部が、熱交換器構成チューブ１１の下側に位置しているアンダカバー本体部１３の一部で覆われている。たとえば、アンダカバー本体部１３には、熱交換器構成チューブ１１が露出する開口部２９が設けられており、開口部２９は、熱交換器構成チューブ１１の直下に設けられている。
【００４６】
詳しく説明すると、熱交換器構成チューブ１１の車両幅方向（車両７の幅方向）の両端部の下側が、アンダカバー本体部１３に接して、アンダカバー本体部１３（部位３５）で覆われており、熱交換器構成チューブ１１の車両幅方向の中央部の下側に開口部２９が位置していて、熱交換器構成チューブ１１の車両幅方向の中央部の下面が露出している。なお、高さ方向では、熱交換器構成チューブ１１とアンダカバー本体部１３の部位（熱交換器構成チューブ１１の車両幅方向の両端部の下側に存在している部位以外の部位）３７とは、ほぼ同じところに位置している。
【００４７】
開口部２９は、熱交換器構成チューブ１１（前・後部位１５、後・前部位１７）の全長にわたって、たとえば連続して設けられている。すなわち、車両前後方向で、熱交換器構成チューブ１１の全長にわたり、アンダカバー本体部１３の断面形状（車両前後方向に対して直交する平面による断面の形状）は、一定の形状になっている。また、開口部２９は折り返しチューブ２５の全長にわたって連続して設けられている。
【００４８】
ところで、図９で示すように。アンダカバー本体部１３に、突起（凸部）３１が設けられていてもよい。
【００４９】
この場合、突起３１は、熱交換器構成チューブ１１のところから下方に突出している。また、突起３１に近接して（たとえば隣接して）、開口部２９が、アンダカバー本体部１３に設けられている。突起３１は、開口部２９の端部（部位３５）から下方に突出しており、熱交換器構成チューブ１１の全長にわたって設けられている。
【００５０】
さらに説明すると、開口部２９および突起３１は、熱交換器構成チューブ１１の全長にわたって、たとえば、連続して設けられている。突起３１は、開口部２９の車両幅方向の両端で所定の高さで下方に突出している。車両前後方向で、熱交換器構成チューブ１１（前・後部位１５、後・前部位１７）の全長にわたり、アンダカバー本体部１３の断面形状（車両前後方向に対して直交する平面による断面形状）は、一定の形状になっている。
【００５１】
エンジン１９が稼動している状態では、エンジン１９の流路の出口から出てきた高温の熱媒体が、出口側チューブ２１内を流れ、前・後部位１５内を車両後側に向かって流れ、折り返しチューブ２５内を流れ、後・前部位１７内を車両前側に向かって流れ、入口側チューブ２３内を流れ、エンジン１９の流路の入口からエンジン１９の流路内に入るようにして、熱媒体が循環する。さらに、車両７が走行している状態では、走行風によって、熱交換器構成チューブ１１が冷却される。
【００５２】
車両下部構造１によれば、車両７の下部に設けられたアンダカバー３が、熱交換器５の機能を備えているので、車両７を大型化することなく、熱交換器の放熱量の増大要求や追加要求に対処することができる。
【００５３】
たとえば、車両７の前部のスペースを広げなくても、アンダカバー３の一部を熱交換器として使用することで、熱交換器の放熱量の増大要求や熱交換器追加要求に対処することができる。
【００５４】
また、車両下部構造１によれば、アンダカバー３が熱媒体を用いた熱交換器５の機能を備えているので、他の箇所に別途熱交換器を設ける必要性が少なくなり、車両７の軽量化要求に応じやすくなる。
【００５５】
また、車両下部構造１によれば、アンダカバー３が、熱媒体が流れるチューブ１１によって熱交換器５の機能を発揮するように構成されているので、熱媒体が流れる流路の構成を簡素化することができるとともに、アンダカバー３の製造が容易になる。
【００５６】
また、車両下部構造１によれば、熱交換器構成チューブ１１が、車両７の前側から後側に向かって熱媒体を流す前・後部位１５と、車両７の後側から前側に向かって熱媒体を流す後・前部位１７とを備えて構成され、前・後部位１５内を流れる熱媒体の温度が後・前部位１７内を流れる熱媒体の温度よりも高い、即ち、熱媒体を前・後部位１５で冷却（熱交換器構成チューブで放熱）した後、後・前部位１７へと流すようにしているので、後・前部位１７を流れる熱媒体の流れが車両前側からの走行風と対向流となり、前・後部位１５で冷却（熱交換器構成チューブで放熱）し温度が下がった熱媒体を更に効率良く冷却することができる。
【００５７】
図４を参照してさらに詳しく説明する。
【００５８】
図４の横軸は、車両前後方向を示しおり、左側が車両前側になっており、右側が車両後側になっている。図４の縦軸は、温度を示している。
【００５９】
線分ＡＢ（線図Ｇ１）は、車両下部構造１における前・後部位１５を流れる熱媒体の温度変化を示しており、線分ＢＣ（線図Ｇ２）は、車両下部構造１における後・前部位１７を流れる熱媒体の温度変化を示している。
【００６０】
線分ＦＧ（線図Ｇ５）は、車両７の幅方向中央部における空気の温度を示しており、線分ＨＩ（線図Ｇ６）は、車両７の幅方向端部における空気の温度を示している。
【００６１】
ここで、車両下部構造１においては、線分ＡＢで示す熱媒体が、線分ＦＧで示す空気で冷やされ、線分ＢＣで示す熱媒体が、線分ＨＩで示す空気（線分ＦＧの空気よりも冷たい空気）で冷やされる。これにより、後・前部位１７で温度が低くなった熱媒体を効率良く冷却することができる。
【００６２】
一方、前・後部位１５を車両７の幅方向端部に配置し、後・前部位１７を車両７の幅方向中央部に配置したとすると、線分ＡＤで示す熱媒体が、線分ＨＩで示す空気で冷やされ、線分ＤＥです熱媒体が、線分ＦＧで示す空気（熱媒体との温度差が小さい熱い空気）で冷やされる。これにより、熱媒体の冷却効率が悪化してしまう。線分ＡＤ（線図Ｇ３）は、前・後部位１５を流れる熱媒体の温度変化を示しており、線分ＤＥ（線図Ｇ４）は、後・前部位１７を流れる熱媒体の温度変化を示している。
【００６３】
また、車両下部構造１によれば、前・後部位１５および後・前部位１７が車両７の幅方向右側と左側とに設けられているので、熱交換器の放熱量の増大要求や追加要求に一層的確にこたえることができる。
【００６４】
また、車両下部構造１によれば、アンダカバー本体部１３が、熱交換器構成チューブ１１のところから下方に突出している突起３１を備えて構成されているので、路面からの飛石等が、熱交換器構成チューブ１１にぶつかることを防止することができ、熱交換器構成チューブ１１の損傷を防止することができる。
【００６５】
すなわち、図５に示すように、突起が存在せず熱交換器構成チューブ１１の下面が大きく露出していると、飛石等が、熱交換器構成チューブ１１にぶつかりやすく、熱交換器構成チューブ１１が損傷しやすい。突起３１を設けることで、飛石等が、熱交換器構成チューブ１１にぶつかりにくくなる。
【００６６】
また、車両下部構造１によれば、アンダカバー本体部１３の突起３１に近接して、アンダカバー本体部１３に熱交換器構成チューブ１１が露出する開口部２９が設けられているので、熱交換器構成チューブ１１の放熱面積が増加し放熱量を増やすことができる。
【００６７】
また、車両下部構造１によれば、開口部２９が熱交換器構成チューブ１１の直下に設けられているので、開口部２９による放熱が一層促進される。また、開口部２９および突起３１が熱交換器構成チューブ１１の全長にわたって設けられているので、熱交換器構成チューブ１１を効率良く冷やすことができる。
【００６８】
また、突起３１が開口部２９の車両幅方向の両端で所定の高さで突出しているので、路面からの飛石等が、開口部２９のところで露出している熱交換器構成チューブ１１にぶつかることを一層確実に防止することができ、さらに、飛石等の衝撃力を突起３１で緩和することができ、熱交換器構成チューブ１１の損傷を一層確実に防止することができる。
【００６９】
ところで、図６、図７で示すように、開口部２９を無くすことで、熱交換器構成チューブ１１の全体が、アンダカバー本体部１３で覆われていてもよい。この場合において、熱交換器構成チューブ１１は、当然に、アンダカバー本体部１３の上面（車体側の面）に設けられている。つまり、熱交換器構成チューブ１１は、アンダカバー本体部１３と車両７との間に設置されている。また、熱交換器構成チューブ１１は、アンダカバー本体部１３に接しており、熱交換器構成チューブ１１と車両７との間には、間隙９が存在している。なお、図６、図７で示すように、開口部２９を設けず、アンダカバー本体部１３が、熱交換器構成チューブ１１の総てをこの下側から覆っている形態において、アンダカバー本体部１３に突起３１を設けてもよい。
【００７０】
このように構成された車両下部構造１によれば、熱交換器構成チューブ１１がアンダカバー本体部１３の上側に設けられており、熱交換器構成チューブ１１がこの下側に位置しているアンダカバー本体部１３で覆われているので、路面からの飛石等による熱交換器構成チューブ１１の損傷を一層防止することができ、熱交換器構成チューブ１１の内部を流れる熱媒体の漏れを一層確実に防ぐことができる。
【００７１】
［第２の実施形態］
本発明の第２の実施形態に係る車両下部構造１は、図１０で示すように、熱交換器構成チューブ１１がアンダカバー本体部１３の下側に設けられていて、熱交換器構成チューブ１１に突起３３が設けられている点が、本発明の第１の実施形態に係る車両下部構造１と異なり、その他の点は、本発明の第１の実施形態に係る車両下部構造１とほぼ同様に構成されている。
【００７２】
すなわち、本発明の実施形態に係る車両下部構造１では、アンダカバー３が板状のアンダカバー本体部１３を備えて構成されており、熱交換器構成チューブ１１は、たとえば、アンダカバー本体部１３の下側でアンダカバー本体部１３に一体的に設けられている。
【００７３】
また、熱交換器構成チューブ１１は、下方に突出している突起（凸部）３３を備えて構成されている。
【００７４】
突起３３は、熱交換器構成チューブ１１の車両幅方向に所定の間隔をあけてならんで複数列設けられており、これらの各突起３３は、熱交換器構成チューブ１１の長手方向（車両前後方向）に延びて配置されている。
【００７５】
また、突起３３は、たとえば、リブ（フィン）で構成されており、このリブは、熱交換器構成チューブ１１の長手方向（車両前後方向）に延設されている。なお、突起３３が、熱交換器構成チューブ１１の長手方向に断続的に設けられていてもよい。たとえば、ピン状複数の突起が、所定の間隔をあけて、熱交換器構成チューブ１１の長手方向に断続的にならんでいてもよい。
【００７６】
本発明の第２の実施形態に係る車両下部構造１においても、車両前後方向で、熱交換器構成チューブ１１（前・後部位１５、後・前部位１７）の全長にわたり、アンダカバー本体部１３と突起３３の断面形状（車両前後方向に対して直交する平面による断面の形状）は、一定の形状になっている。
【００７７】
また、上記各実施形態において、出口側チューブ２１、入口側チューブ２３、折り返しチューブ２５が、前・後部位１５、後・前部位１７とは別体で製造された後、前・後部位１５および後・前部位１７に接続されたものであってもよい。
【００７８】
さらに、前・後部位１５、後・前部位１７、折り返しチューブ２５だけでなく、出口側チューブ２１、入口側チューブ２３も、アンダカバー本体部１３で覆われていてもよい。
【００７９】
車両下部構造１によれば、熱交換器構成チューブ１１が下方に突出している突起３３を備えて構成されているので、突起３３からの放熱によって熱交換器構成チューブ１１の冷却効率を高めることができるとともに、路面からの飛石等による熱交換器構成チューブ１１の破損（熱媒体が流れる部位の破損）を防止することができる。
【００８０】
また、車両下部構造１によれば、突起３３が複数設けられており、これらの各突起３３が熱交換器構成チューブ１１の長手方向にならんで配置されているので、冷却効率を一層高めることができるとともに、熱交換器構成チューブ１１の破損を一層確実に防止することができる。
【００８１】
また、車両下部構造１によれば、突起３３がリブで構成されており、このリブが熱交換器構成チューブ１１の長手方向（車両前後方向）に延設されているので、リブの間を空気が流れることで熱交換器構成チューブ１１を効率良く冷やすことができる。
【００８２】
また、車両下部構造１において、折り返しチューブ２５等が、前・後部位１５、後・前部位１７とは別体で製造された後に接続されており、一方、アンダカバー本体部１３が一体成形されているので、直線状の前・後部位１５および後・前部位１７を押し出し成形で効率良く成形することができ、一体成形されたアンダカバー本体部１３に前・後部位１５、後・前部位１７および折り返しチューブ２５を設置しやくなり、製造が容易になっている。
【００８３】
ところで、上記説明では、熱源が車両の前側に設けられているが、熱源が車両の後側に設けられていてもよい。この場合には、前・後部位は、車両前後方向に長く延びて熱源の車両前側に設置されており、前・後部位の後端は、熱源の近傍に位置している。前・後部位の後端と熱源の流路の熱媒体の入口とはチューブ（入口側チューブ）で接続されている。
【００８４】
後・前部位は、たとえば、前・後部位と平行になって車両前後方向に長く延びて熱源の車両前側に設置されており、後・前部位の後端は、熱源の近傍に位置している。後・前部位の後端と熱源の流路の熱媒体の出口とはチューブ（出口側チューブ）で接続されている。前・後部位の前端と後・前部位の前端とは、チューブ（折り返しチューブ）で接続されている。
【００８５】
そして、熱源の流路の出口から出てきた高温の熱媒体は、出口側チューブ内を流れ、後・前部位内を車両前側に向かって流れ、折り返しチューブ内を流れ、前・後部位内を車両後ろ側に向かって流れ、入口側チューブ内を流れ、熱源の流路の入口から熱源の流路内に入るようになっている。
【００８６】
また、後・前部位が車両の幅方向中央部に配置されており、前・後部位が車両の幅方向の端部側に配置されている。
【符号の説明】
【００８７】
１  車両下部構造
３  アンダカバー
５  熱交換器
７  車両
１１  チューブ
１３  アンダカバー本体部
１５  前・後部位
１７  後・前部位
２９  開口部
３１，３３  突起
【図１】
2015174519.tif 000003
【図２】
2015174519.tif 000004
【図３】
2015174519.tif 000005
【図４】
2015174519.tif 000006
【図５】
2015174519.tif 000007
【図６】
2015174519.tif 000008
【図７】
2015174519.tif 000009
【図８】
2015174519.tif 000010
【図９】
2015174519.tif 000011
【図１０】
2015174519.tif 000012